(57)【要約】【課題】            頂面にアームレストが設けられてなるコンソールにおいて、アームレストは高さの調整が可能であると共に、コンソール収納部の収納スペースの減少もないコンソールを提供する。【解決手段】        頂面にアームレストが設けられてなるコンソールにおいて、アームレストまたはコンソール本体が車前方に向かって高くなる傾斜ガイド面に沿って車の前後方向に移動可能に設けられ、アームレストまたはコンソール本体を車前方に向かって移動させると、アームレストまたはコンソール本体が上方に上昇する。【選択図】          図５
2010023641.tif 000002
【特許請求の範囲】
【請求項１】
頂面にアームレストが設けられてなるコンソールにおいて、アームレストまたはコンソール本体が車前方に向かって高くなる傾斜ガイド面に沿って車の前後方向に移動可能に設けられ、アームレストまたはコンソール本体を車前方に向かって移動させると、アームレストまたはコンソール本体が上方に上昇することを特徴とするコンソール。
【請求項２】
前記アームレストは、コンソール本体上端の収納部開口に開閉可能に設けられた蓋体の上面に、車前方に向かって高くなる傾斜ガイド面に沿って車の前後方向に向かって移動可能に設けれらていることを特徴とする請求項１記載のコンソール。
【請求項３】
前記アームレストまたはコンソール本体には、移動位置をロックするロック手段と該ロック手段のロックを解除するロック解除手段が設けられていることを特徴とする請求項１または２に記載のコンソール。
【発明の詳細な説明】
【技術分野】
【０００１】
この発明は、例えば、車両における左右のフロントシートに間に設けられるセンターコンソール等のコンソールに関する。
【背景技術】
【０００２】
例えば、センターコンソールは、運転者のアームレストとしての肘掛け機能と、小物を収納する収納スペース機能とを備えている。従来のセンターコンソールは、その高さ位置と前後位置（車両の前方を前、後方を後とする）が固定されているので、アームレストとして使用するには、運転者の体格の相違および運転席を前後にスライド移動させたり、背当ての角度を変更したとき、等において、最適位置とはならない不都合がある。
【０００３】
そこで、このような不都合を解決するものとして、車体床部に連結した基台上に、中台と肘掛けを兼用する上台とを設け、昇降装置で中台と上台を上下動させると共に、中台に対し上台を前後方向にスライド可能としたコンソールボックス（例えば、特許文献１参照）、
コンソールの後方部に、小物が収納可能で開閉蓋を備えるガイド部を立設し、このガイド部に昇降機構で昇降するアームレストを昇降自在に設けたコンソール（例えば、特許文献２参照）、
立設するガイド部の前側面が収納部底面から後方へ向けて斜めに立ち上がるガイド面に形成し、このガイド面に沿って斜めに上下動するアームレストを設け、アームレストを上昇させると、アームレストが収納部に対し後方へずれた状態となるセンターコンソール（例えば、特許文献３参照）、が提供されている。
【特許文献１】実開平７-４０２９４号公報
【特許文献２】特開２００３-１６５３８９号公報
【特許文献３】特開２００７-２１０５１７号公報
【発明の開示】
【発明が解決しようとする課題】
【０００４】
しかしながら、特許文献１に示すコンソールボックスは、コンソールの後方部が、アームレストを昇降させる昇降装置で占有されるため収納スペースが減少し、収納機能が低下する課題がある。
特許文献２に示すコンソールボックスは、その課題は解決されているものの、アームレストがガイド部に沿って略垂直に上下動するため、アームレストを上昇させた使用時に、アームレストが収納部の真上に位置することとなり、収納部を利用するときアームレストが邪魔になる課題がある。
特許文献３に示すセンターコンソールは、該課題は解決されているものの、収納部にはアームレストが出入りするため、収納機能が低下する課題および収納部を使用する時は、アームレストを上昇させなければならない課題がある。
【０００５】
この発明は、このような課題を解決せんと提案されたものであり、頂面にアームレストが設けられてなるコンソールにおいて、アームレストは高さの調整が可能であると共に、コンソール収納部の収納スペースの減少もないコンソールを提供するものである。
【課題を解決するための手段】
【０００６】
前記課題を解決するため、この発明のコンソールは、頂面にアームレストが設けられてなるコンソールにおいて、アームレストまたはコンソール本体が車前方に向かって高くなる傾斜ガイド面に沿って車の前後方向に移動可能に設けられ、アームレストまたはコンソール本体を車前方に向かって移動させると、アームレストまたはコンソール本体が上方に上昇することを特徴とする。
【０００７】
この構成によりアームレストは、車前方に向かって移動させることにより高さの調整ができる。また、コンソールの頂面にアームレストが設けられているので、コンソール本体が車前方に向かって移動し、コンソール本体が上方に上昇してもアームレストの高さが変化し調整できる。
また、アームレストはコンソールの頂面に設けられ、車前方に向かって高くなる傾斜ガイド面に沿って車の前後方向に移動するのは、アームレストまたはコンソール本体なので、コンソールの収納部は影響を受けずそのまま使用可能なので、収納機能が低下することもない。
【０００８】
また、この発明のコンソールの前記アームレストは、コンソール本体上端の収納部開口に開閉可能に設けられた蓋体の上面に、車前方に向かって高くなる傾斜ガイド面に沿って車の前後方向に向かって移動可能に設けれらていることを特徴とする。
この構成によれば、アームレストの高さの調整ができると共にコンソールの収納部は、収納機能を低下させることなく、そのまま使用可能となる。また、アームレストは、車前方に向かって移動させても、車前方に向かって移動するにつれて高さが高くなるので、シフトレバー等の操作の邪魔になることもない。
【０００９】
また、この発明のコンソールの前記アームレストまたはコンソール本体には、移動位置をロックするロック手段と該ロック手段のロックを解除するロック解除手段が設けられていることを特徴とする。
これによりアームレストの高さを調整した後にロックし、位置を保持することができる。
【００１０】
前記ロック手段としては、例えば、アームレストまたはコンソール本体に連結されたレール部材に押圧当接するばね板で形成する摩擦板であり、
ロック解除手段は、摩擦板とレール部材との間に進退自在に挿入し、摩擦板の当接をレール部材から離間させるくさび状ロック解除部材を挙げることができる。
この構成によりアームレストまたはコンソール本体は、摩擦板がレール部材に押圧当接して移動した位置をロックし、くさび状ロック解除部材を摩擦板とレール部材の間に挿入し、摩擦板の当接をレール部材から離間させることでロック解除ができる。
この発明での摩擦板は、レール部材を挟む格好で対向して設け、レール部材の両面を押圧当接する構成も含むものであり、この場合は、対向する摩擦板の間にくさび状ロック解除部材を挿入し、摩擦板のレール部材からの当接を離間させるようにしてもよい。この発明で、「くさび状ロック解除部材を摩擦板とレール部材の間に挿入し、摩擦板の当接をレール部材から離間させる」とは、前記構成、作用も含む意味である。
【００１１】
また、前記ロック解除手段の進退自在のくさび状ロック解除部材には、操作レバーが連結され、該操作レバーの操作で、ロック手段の摩擦板とレール部材との間に進退可能に構成されていると好ましい。
この構成により操作レバーの操作で、アームレストまたはコンソール本体のロック解除を行うことができる。
【００１２】
また、前記ロック解除手段のくさび状ロック解除部材には、該くさび状ロック解除部材を摩擦板とレール部材間から退出する方向に付勢するばねが設けられ、くさび状ロック解除部材は、通常該ばねにより摩擦板とレール部材間から退出したロック位置に保持され、操作レバーのばねに抗しての摩擦板とレール部材間への挿入によりロック解除がなされ、操作レバーから外力を取り除くとくさび状ロック解除部材はばねにより摩擦板とレール部材間から退出復帰し摩擦板がレール部材に押圧当接してロックするようにすると更に好ましい。
【００１３】
この構成により、アームレストまたはコンソール本体は、操作レバーでロック解除して移動させて高さの調整ができたら、操作レバーを開放（例えば、手での外力を取り除く）すれば、その位置で自動的にロックされる。
【発明の効果】
【００１４】
この発明のコンソールによれば、次のような効果を奏する。
（１）アームレストは、アームレストまたはコンソール本体を車前方に向かって移動させることにより高さの調整ができる。
（２）アームレストはコンソールの頂面に設けられ、車前方に向かって高くなる傾斜ガイド面に沿って車の前後方向に移動するのは、アームレストまたはコンソール本体なので、コンソールの収納部は影響を受けず、そのまま使用可能なので、収納機能が低下することもない。
（３）アームレストがコンソールの頂面、例えば、蓋体の上面に設けられていると、アームレストを車前方に向かって移動させても、車前方に向かって移動するにつれて高さが高くなるので、シフトレバー等の操作の邪魔になることもない。
【００１５】
（４）アームレストまたはコンソール本体には、移動位置をロックするロック手段と該ロック手段のロックを解除するロック解除手段が設けられているので、アームレストまたはコンソール本体を移動して、アームレストの高さを調整した後にロックし、位置を保持することができる。
【００１６】
（５）ロック手段が、アームレストまたはコンソール本体に連結された、レール部材に押圧当接するばね板で形成する摩擦板であり、ロック解除手段が、摩擦板とレール部材との間に進退自在に挿入し、摩擦板の当接をレール部材から離間させるくさび状ロック解除部材であるので、くさび状ロック解除部材を摩擦板とレール部材との間に挿入し、摩擦板の当接をレール部材から離間したロック解除状態で、アームレストまたはコンソール本体を車前方に向かって移動してアームレストの高さを調整ができ、調整後はくさび状ロック解除部材を摩擦板とレール部材との間から退出させると、摩擦板がレール部材に押圧当接して移動した位置をロックできる。
【００１７】
（６）操作レバーの操作で、アームレストまたはコンソール本体のロック解除ができるので、簡単にアームレストの高さの調整ができる。
（７）また、くさび状ロック解除部材には、摩擦板とレール部材との間から退出する方向、即ち、ロック状態となる方向に付勢するばねが設けられているので、通常はくさび状ロック解除部材は、摩擦板とレール部材との間から退出したロック状態の位置を保持する。従って、アームレストまたはコンソール本体は、操作レバーでばねの付勢力に抗してくさび状ロック解除部材を摩擦板とレール部材との間に挿入してロック解除して移動させ高さの調整ができ、高さの調整ができたら操作レバーを開放すれば、くさび状ロック解除部材はばねにより復帰し、その位置が自動的にロックされるので、アームレストの高さの調整が容易に行うことができる。
【発明を実施するための最良の形態】
【００１８】
この発明のコンソールは、例えば、車両における左右のフロントシートの間に設けられ、コンソールの頂面にアームレストが設けられ、運転者のアームレストとしての肘掛け機能と、小物を収納する収納スペース機能とを備えている。そして、コンソールの頂面にアームレストが設けられ、アームレストまたはコンソール本体が車前方に向かって高くなる傾斜ガイド面に沿って車の前後方向に移動可能に設けられ、アームレストまたはコンソール本体を車前方に向かって移動させると、アームレストまたはコンソール本体が上方に上昇する構成となっている。
【００１９】
以下、この発明の実施の形態をセンターコンソールを例に図面を参照して詳細に説明する。図１（ａ）は、この発明の実施の形態を示すセンターコンソールの斜視図、（ｂ）はそのセンターコンソール部分の拡大斜視図、図２（ａ）は、この発明の実施の形態を示すアームレストが車前方に向かって移動した状態のセンターコンソールの斜視図、（ｂ）はそのセンターコンソール部分の一部切欠拡大斜視図、図３は、コンソール本体の収納部開口に開閉可能に設けた蓋体の開放した状態を示す斜視図である。
【００２０】
この実施の形態に示すセンターコンソール１は、コンソール本体２と、このコンソール本体２の上端の収納部５の開口にヒンジ６（図３参照）で開閉可能に設けられた蓋体３と、この蓋体３の上面に車の前後方向に向かって移動可能に設けられたアームレスト４とで構成されている。このアームレスト４は、蓋体３の上面に形成された車前方に向かって高くなる傾斜ガイド面７（図２参照）に沿って車の前後方向に移動可能とされ、車の前方に向かって移動させると、傾斜ガイド面７に沿って徐々に上方に上昇し高さが高くなる構成となっている。従って、アームレスト４は、車前方に向かって移動させることで高さの調整が可能となる。図１（ａ）（ｂ）は、アームレスト４が定常位置にあり、図２（ａ）（ｂ）は、アームレスト４を車前方に向かって移動し高さが高くなった状態を示し、図３は、アームレスト４が設けられた蓋体３を開放した状態を示しており、この実施の形態のセンターコンソール１によれば、アームレスト４の高さの調整が可能であると共に、収納部５も従来と同様に使用できて収納機能の低下のないことがよく理解できる。
【００２１】
また、前記アームレスト４には、移動位置をロックするロック手段と該ロック手段のロックを解除するロック解除手段が設けられる。
これによりアームレスト４は、ロック解除手段でロックを解除すると車の前後方向に移動可能となり、この移動で高さの調整ができ、アームレスト４の高さを調整した後にロックし、位置を保持することができる。
【００２２】
更に詳細に説明する。図４は、この発明の実施の形態を示すアームレスト部分の概略断面図、図５は、この発明の実施の形態を示すアームレスト部分の一部断面斜視図、図６は、ロック手段およびロック解除手段を示す断面図、図７は、ロック手段およびロック解除手段を示す平面図、図８は、ロック手段およびロック解除手段の作用を説明する部分斜視図で、移動駒は省略してある。図９は、ロック手段およびロック解除手段の分解斜視図である。
【００２３】
蓋体３の上面は、車前方に向かって高くなる傾斜ガイド面７に形成され、アームレスト４の底面（傾斜ガイド面７との摺動面）も該傾斜ガイド面７に対応する傾斜面となり、このアームレスト４が蓋体３の上面に、傾斜ガイド面７に沿って車の前後方向に向かって移動可能となっている。本例では、蓋体３上面の傾斜ガイド面７にレール８が設けられ、このレール８の左右の側面にレール８に沿って凹溝９が設けられ、アームレスト４の底面には、この凹溝９に嵌入する凸条１０が凹溝９に対応して設けられ、アームレスト４は、その凸条１０がレール８の凹溝９に嵌入してガイドされ車前後方向に移動可能となっている。このアームレスト４を蓋体３の傾斜ガイド面７に沿ってガイドする構成は、本例に制限されるものではなく、従来公知の手段が採用可能である。
【００２４】
蓋体３の傾斜ガイド面７には、前後に所定の間隔でブラケット１１、１１が固設され、このブラケット１１、１１間にレール部材１２が架設されている。このレール部材１２には、移動駒１３がレール部材１２に沿って前後移動自在に設けられている。この移動駒１３には、アームレスト４の下面に沿ってアームレスト４の前端に延出する操作レバー１４が連結されており、移動駒１３は、操作レバー１４の前方への引き出し、または押し込みにより前後に移動操作可能となっている。
【００２５】
また、アームレスト４の下面には支持部材１５が固設されて垂下されており、前記移動駒１３の内部に到達している。移動駒１３は、支持部材１５に対し所定の範囲で前後移動可能となって係合している。即ち、操作レバー１４で所定の範囲の前後移動が可能となっている。支持部材１５の下方には、移動駒１３の内部位置においてレール部材１２を上下から挟持する格好で押圧当接する、ばね板で形成する摩擦板１６ａ、１６ｂが取付けられており、このレール部材１２に押圧当接する摩擦板１６ａ、１６ｂがロック手段を構成する。摩擦板１６ａ、１６ｂは、ばね板を円弧状に湾曲して形成され、その突出側の曲面をレール部材１２にばね力で付勢されて押圧当接しており（図６、図８参照）、従って、摩擦板１６ａ、１６ｂの摩擦力でレール部材１２との間でロック作用をする。本例では、図６および図７に示すように支持部材１５が螺軸で形成され、摩擦板１６ａの上側および摩擦板１６ｂの下側にナット１７が螺合され、このナット１７での摩擦板１６ａ、１６ｂの締め付けの調整で、レール部材１２に対する摩擦力の調整が可能となっている。
【００２６】
一方、移動駒１３には、前記摩擦板１６ａ、１６ｂを中心に、その前後にくさび状ロック解除部材１８ａ、１８ｂが、図６および図８に示すように対向する摩擦板１６ａ、１６ｂの間に向かって取付けられている。移動駒１３は、前記したように操作レバー１４の操作で所定範囲の前後への移動が可能となっているので、この移動駒１３に取付けられているくさび状ロック解除部材１８ａ、１８ｂもそれと共に前後に移動する。従って、操作レバー１４を前方に引き出し移動駒１３を前方に移動させると、一方のくさび状ロック解除部材１８ｂは、摩擦板１６ａ、１６ｂの間に進入し、摩擦板１６ａ、１６ｂの間隔を拡大し、逆に操作レバー１４を後方に押し込み移動駒１３を後方に移動させると、他方のくさび状ロック解除部材１８ａが、摩擦板１６ａ、１６ｂの間に進入し、摩擦板１６ａ、１６ｂの間隔を拡大する。このくさび状ロック解除部材１８ａ、１８ｂにより摩擦板１６ａ、１６ｂの間隔が拡大すると、摩擦板１６ａ、１６ｂがレール部材１２より離間し押圧当接がなくなるので、ロックが解除される。これがロック解除手段を構成する。
【００２７】
本例では、レール部材１２は、長尺な板材で構成され、中央に長手方向に沿って長孔１２ａが形成され、図７および図８に示すようにくさび状ロック解除部材１８ａ、１８ｂは、この長孔１２ａ内に位置して移動駒１３に取付けられている。
また、支持部材１５と移動駒１３との間には、支持部材１５の前後に、くさび状ロック解除部材１８ａ、１８ｂを、摩擦板１６ａ、１６ｂの間から退出する方向に付勢するばね１９が設けられ、通常移動駒１３は、ばね１９でくさび状ロック解除部材１８ａ、１８ｂが摩擦板１６ａ、１６ｂの間から退出したロック位置を保持するようになっている。従って、ロック解除は、操作レバー１４のばね１９に抗しての摩擦板１６ａ、１６ｂ間への挿入操作によりなされ、操作レバー１４から外力を取り除くと、移動駒１３がばね１９により復帰し、これによりくさび状ロック解除部材１８ａ、１８ｂも摩擦板１６ａ、１６ｂ間から退出し復帰しロックする。このように本例では、アームレスト４は、操作レバー１４でロック解除して移動させて高さの調整をしたら、操作レバー１４を開放（外力を取り除く）すれば、その位置で自動的にロックされる。
【００２８】
次に、上記実施の形態に係るセンターコンソール１の作用について説明する。
通常、くさび状ロック解除部材１８ａ、１８ｂは、ばね１９の付勢力で移動駒１３を介し摩擦板１６ａ、１６ｂ間から退出したロック位置となっているので、アームレスト４は、その位置で保持されている。例えば、アームレスト４が図１（ａ）（ｂ）に示すような原位置にロックされている。アームレスト４の高さの調整をしたい時には、操作レバー１４の操作で移動駒１３を前後方向に移動させて、くさび状ロック解除部材１８ａ、１８ｂを摩擦板１６ａ、１６ｂの間に挿入すると、摩擦板１６ａ、１６ｂ間の間隔が拡大し、摩擦板１６ａ、１６ｂのレール部材１２への押圧当接がなくなるので、ロックが解除され、アームレスト４は、移動可能となり、例えば、、車前方に向かって移動させれば、アームレスト４が上方に上昇するので高さの調整ができる。そして、アームレスト４が最適の高さになったら、操作レバー１４からの外力を取り除くと、ばね１９の付勢力で移動駒１３を介しくさび状ロック解除部材１８ａ、１８ｂは、摩擦板１６ａ、１６ｂの間から退出するから、アームレスト４はその位置でロックされる。
また、コンソール本体２の収納部５を使用するときは、図３に示すようにアームレスト４が設けられた蓋体３を開くことで使用可能となる。
【００２９】
前記実施の形態は、アームレスト４を車の前後方向に移動させて高さの調整をする場合であるが、これはコンソールの頂面にアームレストが設けられてなるセンターコンソールでは、コンソール本体を車前方に向かって高くなる傾斜ガイド面に沿って車の前後方向に移動可能に設け、コンソール本体を車前方に向かって移動させると、コンソール本体が上昇し、これによりアームレストの高さを調整するようにしてもよい。
【００３０】
図１０は、コンソール本体を移動させてアームレストの高さを調整する場合の説明図である。この実施の形態では、コンソール本体２の上部に、収納部５の開口を開閉する蓋体３が設けられ、この蓋体３の上面がアームレスト４になっている。コンソール本体２は、床面に設けたベース２０の傾斜ガイド面２１に沿って車の前後方向に移動可能となっており、コンソール本体２は、車前方に向かって移動させると傾斜ガイド面２１によって上方に上昇する。従って、アームレスト４もコンソール本体２を介して上方に上昇するので、コンソール本体２の移動で高さの調整ができる。この時の移動機構、ロック手段およびロック解除手段は、前記実施の形態と同様にものを採用する。
【００３１】
なお、前記実施の形態は、この発明を制限するものではなく、この発明は、要旨を逸脱しない範囲において種々の変形が許容される。
【図面の簡単な説明】
【００３２】
【図１】（ａ）は、この発明の実施の形態を示すセンターコンソールの斜視図、（ｂ）は、そのセンターコンソール部分の拡大斜視図である。
【図２】（ａ）は、この発明の実施の形態を示すアームレストが車前方に向かって移動した状態のセンターコンソールの斜視図、（ｂ）は、そのセンターコンソール部分の一部切欠拡大斜視図である。
【図３】コンソール本体の収納部開口に開閉可能に設けた蓋体の開放した状態を示す斜視図である。
【図４】この発明の実施の形態を示すアームレスト部分の概略断面図である。
【図５】この発明の実施の形態を示すアームレスト部分の一部断面斜視図である。
【図６】ロック手段およびロック解除手段を示す断面図である。
【図７】ロック手段およびロック解除手段を示す平面図である。
【図８】ロック手段およびロック解除手段の作用を説明する部分斜視図である。
【図９】ロック手段およびロック解除手段の分解斜視図である。
【図１０】この発明の他の実施の形態を示す説明図である。
【符号の説明】
【００３３】
１  センターコンソール
２  コンソール本体
３  蓋体
４  アームレスト
５  収納部
７  傾斜ガイド面
８  レール
９  凹溝
１０  凸条
１１  ブラケット
１２  レール部材
１２ａ  長孔
１３  移動駒
１４  操作レバー
１５  支持部材
１６ａ、１６ｂ  摩擦板
１７  ナット
１８ａ、１８ｂ  くさび状ロック解除部材
１９  ばね
２０  ベース
２１  傾斜ガイド面
【図１】
2010023641.tif 000003
【図２】
2010023641.tif 000004
【図３】
2010023641.tif 000005
【図４】
2010023641.tif 000006
【図５】
2010023641.tif 000007
【図６】
2010023641.tif 000008
【図７】
2010023641.tif 000009
【図８】
2010023641.tif 000010
【図９】
2010023641.tif 000011
【図１０】
2010023641.tif 000012